(57)【要約】  本発明は無線装置リストの表示方法及びその表示装置、無線装置及びそのブロードキャストの方法、プログラム及び記録媒体に関しており、該方法は無線装置から送信された、前記無線装置の名称を表示する第１のフィールドと、前記無線装置の製造メーカを表示する第２のフィールドとを少なくとも含むブロードキャスト情報を取得するステップと、前記第２のフィールドに基づいて前記無線装置の製造メーカ識別子を取得するステップと、無線装置リストにおいて、前記無線装置の名称および前記製造メーカ識別子を表示するステップと、を含む。本発明の実施例では、無線装置リストにおける情報内容を付加し、ユーザの無線装置に対する選択のためにより多くの参照情報を提供する。【選択図】        図３
2017502622.tif 000002
【特許請求の範囲】
【請求項１】
無線装置から送信された、前記無線装置の名称を表示する第１のフィールドと、前記無線装置の製造メーカを表示する第２のフィールドとを少なくとも含むブロードキャスト情報を、取得するステップと、
前記第２のフィールドに基づいて前記無線装置の製造メーカ識別子を取得するステップと、
無線装置リストにおいて、前記無線装置の名称および前記製造メーカ識別子を表示するステップと、を含む
ことを特徴とする無線装置リストの表示方法。
【請求項２】
前記第２のフィールドに基づいて前記無線装置の製造メーカ識別子を取得するステップは、
前記第２のフィールドにおけるフィールド情報に基づいて、予め記憶されたフィールド情報と製造メーカ識別子との対応関係を検索し、前記フィールド情報に対応する前記製造メーカ識別子を取得するステップを含む
ことを特徴とする請求項１に記載の方法。
【請求項３】
前記製造メーカ識別子は、製造メーカの文字識別子、または、製造メーカのアイコン識別子を含む
ことを特徴とする請求項１に記載の方法。
【請求項４】
無線装置リストにおいて、前記無線装置の名称および前記製造メーカ識別子を表示するステップは、
無線装置リストにおいて、前記製造メーカ識別子を前記無線装置の名称の後に表示するステップを含む
ことを特徴とする請求項１に記載の方法。
【請求項５】
さらに、前記第２のフィールドのフィールド情報が空である場合、前記無線装置リストにおいて少なくとも前記無線装置の名称を表示するステップを含む
ことを特徴とする請求項１に記載の方法。
【請求項６】
無線装置リストにおいて、前記無線装置の名称および前記製造メーカ識別子を表示するステップは、
前記無線装置のみを含む装置通知情報をホップアップで表示し、前記無線装置の名称および前記製造メーカ識別子を、前記装置通知情報に設定して表示するステップを含む
ことを特徴とする請求項１に記載の方法。
【請求項７】
前記ブロードキャスト情報は、さらに、前記無線装置のＭＡＣアドレス、帯域、信号強度及び暗号化方式の少なくとも１種を含む
ことを特徴とする請求項１に記載の方法。
【請求項８】
さらに、前記無線装置リストにおいて前記無線装置の信号強度を表示するステップを含む
ことを特徴とする請求項１に記載の方法。
【請求項９】
無線装置の製造メーカを表示する第２のフィールドを構築するステップと、
前記第２のフィールドをブロードキャスト情報に付加するとともに、前記ブロードキャスト情報を送信するステップと、を含み、
前記ブロードキャスト情報は、前記無線装置の名称を表示する第１のフィールドと、前記第２のフィールドとを少なくとも含む
ことを特徴とする無線装置のブロードキャストの方法。
【請求項１０】
無線装置から送信された、前記無線装置の名称を表示する第１のフィールドと、前記無線装置の製造メーカを表示する第２のフィールドとを少なくとも含むブロードキャスト情報を、取得する情報取得手段と、
前記第２のフィールドに基づいて前記無線装置の製造メーカ識別子を取得する情報処理手段と、
無線装置リストにおいて前記無線装置の名称および前記製造メーカ識別子を表示する情報表示手段とを含む
ことを特徴とする無線装置の表示装置。
【請求項１１】
前記情報処理手段は、具体的に、前記第２のフィールドにおけるフィールド情報に基づいて、予め記憶されたフィールド情報と製造メーカ識別子との対応関係を検索し、前記フィールド情報に対応する前記製造メーカ識別子を取得する
ことを特徴とする請求項１０に記載の装置。
【請求項１２】
前記製造メーカ識別子は、製造メーカの文字識別子、又は、製造メーカのアイコン識別子を含む
ことを特徴とする請求項１０に記載の装置。
【請求項１３】
前記情報表示手段は、具体的に、無線装置リストにおいて、前記無線装置の名称の後に前記製造メーカ識別子を表示する
ことを特徴とする請求項１０に記載の装置。
【請求項１４】
前記情報取得手段は、さらに、無線装置から送信されたブロードキャスト情報を取得し、前記ブロードキャスト情報に含まれる前記第２のフィールドが空であり、
前記情報表示手段は、さらに、前記情報取得手段の取得した第２のフィールドが空である場合、前記無線装置リストにおいて少なくとも前記無線装置の名称を表示する
ことを特徴とする請求項１０に記載の装置。
【請求項１５】
前記ブロードキャスト情報は、さらに、前記無線装置のＭＡＣアドレス、帯域、信号強度及び暗号化方式の少なくとも１種を含む
ことを特徴とする請求項１０に記載の装置。
【請求項１６】
前記情報表示手段は、さらに、前記無線装置リストにおいて前記無線装置の信号強度を表示する
ことを特徴とする請求項１０に記載の装置。
【請求項１７】
無線装置の製造メーカを表示する第２のフィールドを構築する情報構築手段と、
前記第２のフィールドをブロードキャスト情報に付加するとともに、前記ブロードキャスト情報を送信する情報送信手段とを含み、
前記ブロードキャスト情報は、無線装置の名称を表示する第１のフィールドと、前記第２のフィールドを少なくとも含む
ことを特徴とする無線装置。
【請求項１８】
プロセッサと、
プロセッサにより実行可能な指令を記憶するメモリと、を備え、
前記プロセッサは、
無線装置から送信された、前記無線装置の名称を表示する第１のフィールドと、前記無線装置の製造メーカを表示する第２のフィールドとを少なくとも含むブロードキャスト情報を取得し、前記第２のフィールドに基づいて前記無線装置の製造メーカ識別子を取得し、無線装置リストにおいて前記無線装置の名称および前記製造メーカ識別子を表示する
ことを特徴とする無線装置の表示装置。
【発明の詳細な説明】
【技術分野】
【０００１】
本願は、出願番号がＣＮ２０１４１０５５９７９０．７であって、出願日が２０１４年１０月２０日である中国特許出願に基づき優先権を主張し、当該中国特許出願のすべての内容を本願に援用する。
【０００２】
本発明はインテリジェント端末技術に関し、特に、無線装置リストの表示方法及びその表示装置、無線装置及びそのブロードキャストの方法に関している。
【背景技術】
【０００３】
ユーザがインテリジェント端末を用いる、例えば、自分のスマートフォンを用いる場合、該携帯電話は周囲の無線装置の情報、例えば、周囲のＷＬＡＮアクセスポイント、又は、ブルートゥース（ｂｌｕｅｔｏｏｔｈ）等を取得することができ、ユーザは該無線装置に基づいてネットワークにアクセスする、または、情報伝送を行うことができる。
【発明の概要】
【発明が解決しようとする課題】
【０００４】
関係技術において、一般的に、携帯電話は無線装置の情報を取得すると、周囲の各無線ルーターの識別子、信号強度、暗号化されたか否か等のような情報が含まれる無線装置リストはユーザの携帯電話に表示されるが、ユーザは依然として今現在の無線装置リストに表示される情報が比較的少ないと感じて、どの無線装置を選択しアクセスするかを特定できないことがある。例えば、上記の無線装置リストには、信号強度等の情報の何れも比較的近い２つの無線装置は表示されている場合、ユーザはどの無線装置を選択すればよいかを特定し難いので、無線ネットワークの利用効率は一定の程度で低減されてしまう。
【課題を解決するための手段】
【０００５】
関係技術に存在する問題を解消するために、本発明は無線装置リストの表示方法及びその表示装置、無線装置及びそのブロードキャストの方法を提供することにより、無線装置リストにおける情報内容を増加する。
【０００６】
本発明の実施例の第１の局面によれば、無線装置リストの表示方法を提供し、当該方法は、
無線装置から送信された、前記無線装置の名称を表示する第１のフィールドと、前記無線装置の製造メーカを表示する第２のフィールドとを少なくとも含むブロードキャスト情報を、取得するステップと、
前記第２のフィールドに基づいて前記無線装置の製造メーカ識別子を取得するステップと、
無線装置リストにおいて、前記無線装置の名称および前記製造メーカ識別子を表示するステップと、を含む。
【０００７】
本発明の実施例の第２の局面によれば、無線装置のブロードキャストの方法を提供し、当該方法は、
無線装置の製造メーカを表示する第２のフィールドを構築するステップと、
前記第２のフィールドをブロードキャスト情報に付加するとともに、前記ブロードキャスト情報を送信するステップと、を含み、
前記ブロードキャスト情報は、前記無線装置の名称を表示する第１のフィールドと、前記第２のフィールドとを少なくとも含む。
【０００８】
本発明の実施例の第３の局面によれば、無線装置の表示装置を提供し、当該表示装置は、
無線装置から送信された、前記無線装置の名称を表示する第１のフィールドと、前記無線装置の製造メーカを表示する第２のフィールドとを少なくとも含むブロードキャスト情報を、取得する情報取得手段と、
前記第２のフィールドに基づいて前記無線装置の製造メーカ識別子を取得する情報処理手段と、
無線装置リストにおいて前記無線装置の名称および前記製造メーカ識別子を表示する情報表示手段とを含む。
【０００９】
本発明の実施例の第４の局面によれば、無線装置を提供し、当該無線装置は、
無線装置の製造メーカを表示する第２のフィールドを構築する情報構築手段と、
前記第２のフィールドをブロードキャスト情報に付加するとともに、前記ブロードキャスト情報を送信する情報送信手段と、を含み、
前記ブロードキャスト情報は、前記無線装置の名称を表示する第１のフィールドと、前記第２のフィールドとを少なくとも含む。
【００１０】
本発明の実施例の第５局面によれば、無線装置の表示装置を提供し、当該表示装置は、
プロセッサと、
プロセッサにより実行可能な指令を記憶するメモリと、を備え、
前記プロセッサは、
無線装置から送信された、前記無線装置の名称を表示する第１のフィールドと、前記無線装置の製造メーカを表示する第２のフィールドとを少なくとも含むブロードキャスト情報を取得し、前記第２のフィールドに基づいて前記無線装置の製造メーカ識別子を取得し、無線装置リストにおいて前記無線装置の名称および前記製造メーカ識別子を表示する。
【００１１】
本発明の実施例に提示される技術案は以下の有益な効果を含み得る。無線装置から送信されたブロードキャスト情報に無線装置製造メーカを表示する第２のフィールドを付加するとともに、これに基づいて製造メーカ識別子を表示することによって、無線装置リストに該装置に関する関係情報を付加し、ユーザのためにより多くの参照装置を提供できる。
【００１２】
以上の一般的な記述及び以下の詳細な記述は、例示のものに過ぎず、本開示を限定するものではないと理解すべきである。
【図面の簡単な説明】
【００１３】
ここでの図面は、本明細書の一部として、本発明に適切な実施例を示し、明細書と合わせて本発明の原理を解釈する。
【図１】例示的な実施例における無線装置リストの表示方法の応用シーンを示す図である。
【図２】例示的な実施例における無線装置リストの表示方法の他の応用シーンを示す図である。
【図３】例示的な実施例における無線装置リストの表示方法を示すフローチャートである。
【図４】例示的な実施例における無線装置のブロードキャストの方法を示すフローチャートである。
【図５】例示的な実施例における無線装置リストの表示方法におけるスキャンリストを示す図である。
【図６】例示的な実施例における無線装置リストの表示方法における案内情報を示す図である。
【図７】例示的な実施例における無線装置の表示装置の構造を示すブロック図である。
【図８】例示的な実施例における無線装置の構造を示すブロック図である。
【図９】例示的な実施例における端末を示すブロック図である。
【発明を実施するための形態】
【００１４】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００１５】
図１は本発明の実施例に係る無線装置リストの表示方法の応用シーンを例示的に示す。該シーンにおいて、ユーザの用いる携帯電話は周囲に使用可能な無線信号があるか否かを取得できる。仮に該ユーザの周囲に無線ネットワークのアクセスのために用いられる３つの無線装置ＡＰ１、ＡＰ２及びＡＰ３がある。ユーザの携帯電話は上記ＡＰから送信されたブロードキャスト情報を取得でき、且つ、該ブロードキャスト情報に基づいてこの３つの無線装置に対応する無線装置リストを表示できる。本発明の実施例に係る無線装置リストの表示方法は如何に無線装置の関係情報をユーザに表示するかを記述する。
【００１６】
図２は本発明の実施例に係る無線装置リストの表示方法の他の応用シーンを示す。該シーンにおいて、ユーザは自分の携帯電話を用いてブルートゥースを介して他のフレンドの携帯電話との情報伝送を行おうとしており、例えば、ブルートゥースを介してフレンドの携帯電話における一部の写真を取得しようとしている。この場合、ユーザの携帯電話は周囲のブルートゥース信号も取得でき、携帯電話に図２に示す２つのブルートゥースの情報が表示される。本発明の実施例に係る無線装置リストの表示方法は該シーンにおいてブルートゥースのリストを表示することもできる。
【００１７】
上記のＡＰ、ブルートゥース等の何れも無線装置に該当しており、本発明の実施例に係る無線装置リストの表示方法は該無線装置の表示に応用され得る。他のシーンを一々に列挙しないが、具体的な実施過程において、本発明に係る方法は上記の図１及び図２に示すシーンに限られず、無線信号表示に関する他の類似のシーンにも応用され得る。且つ、本発明に係る方法において、ユーザは必ずしも携帯電話を用いて無線装置の情報を取得するのでなく、同等の機能を有する他の端末装置を用いてもよい。
【００１８】
本発明の実施例に係る無線装置リストの表示方法は、端末装置に設置されている無線装置の表示装置により実行され、以下、ユーザの携帯電話を例にし、ユーザが携帯電話を用いて周囲のＷｉｆｉ信号を取得することを例として、本発明の無線装置リストの表示方法について説明を行う。携帯電話には該方法を実行するための無線装置の表示装置は設置されており、該携帯電話は該装置を介して図３に示す方法を実行し得る。
【００１９】
ステップ３０１において、無線装置から送信された、少なくとも無線装置の名称を表示する第１のフィールドと、無線装置の製造メーカを表示する第２のフィールドを含むブロードキャスト情報を取得する。
【００２０】
ステップ３０２において、前記第２のフィールドに基づいて、前記無線装置の製造メーカ識別子を取得する。
【００２１】
ステップ３０３において、無線装置リストにおいて前記無線装置の名称および前記製造メーカ識別子を表示する。
【００２２】
相応に、図４を参照して、本発明の実施例はさらに無線装置により実行される無線装置のブロードキャストの方法を提供し、
無線装置の製造メーカを表示する第２のフィールドを構築するステップ４０１と、
前記第２のフィールドを、前記無線装置の名称を表示する第１のフィールドと前記第２のフィールドとを少なくとも含むブロードキャスト情報に付加すると共に、前記ブロードキャスト情報を送信するステップ４０２と、を含む。
【００２３】
上記の図３及び図４に示す方法プロセスにおいて、本発明の実施例に係る無線装置がブロードキャスト情報を送信する際に、該ブロードキャスト情報に無線装置の製造メーカを表示する第２のフィールドのフィールド情報を付加することによって、ユーザの携帯電話が該ブロードキャスト情報を取得する場合、該第２のフィールドに基づいて無線装置リストに無線装置の製造メーカの識別子を表示することができる。
【００２４】
例えば、ステップ４０１において、無線装置、例えば、ルーターは、ルーターの製造メーカに基づいて無線装置の製造メーカを表示する第２のフィールドを構築することができる。以下、列挙して説明を行う。仮に小米（製造メーカ）製ルーターが製造される際に、その製造メーカである小米に基づいて小米を表示する第２のフィールド、例えば、該フィールドがｗｐｓ＿ｄｅｖｉｃｅ＿ｎａｍｅを構築できるとすれば、フィールド情報をＸｉａｏｍｉ＿Ｒｏｕｔｅｒに設置することは、即ち、Ｘｉａｏｍｉ＿Ｒｏｕｔｅｒをｗｐｓ＿ｄｅｖｉｃｅ＿ｎａｍｅフィールドに書込むことである。ステップ４０２において、小米製ルーターはブロードキャスト情報のビーコン（ｂｅａｃｏｎ）を送信する際に、上記の第２のフィールドが付けられ、該ブロードキャスト情報にはさらにルーターの名称を表示するための第１のフィールドが付けられ、例えば、該第１のフィールドがユーザー定義のｑｉｊｉａである。
【００２５】
上記のステップ３０１〜３０３に記載されているように、ユーザの携帯電話は、ルーターから送信された、上記の第１のフィールド及び第２のフィールドが付けられたブロードキャスト情報を取得した後、第２のフィールドに基づいて無線装置の製造メーカ識別子を取得するとともに、無線リストに該無線装置の名称及び製造メーカ識別子を表示する。具体的には、上記の小米製ルーターを例として次のとおり説明を行う。ルーターによって送信されたブロードキャスト情報に付けた第２のフィールドのフィールド情報はＸｉａｏｍｉ＿Ｒｏｕｔｅｒであり、携帯電話が該Ｘｉａｏｍｉ＿Ｒｏｕｔｅｒに基づいて、対応する表示すべき多種の方式にて表示され得る製造メーカ識別子を特定しなければならず、例えば、製造メーカ識別子が製造メーカの文字識別子、又は、製造メーカのアイコン識別子を含み得る。
【００２６】
以下、２種の選択可能な表示方式を列挙する。
【００２７】
１つの方式では、文字方式にて製造メーカを表示し、例えば、第２のフィールドのフィールド情報がＸｉａｏｍｉ＿Ｒｏｕｔｅｒであり、ＷＬＡＮのリストにＸｉａｏｍｉ＿Ｒｏｕｔｅｒを直接的に表示し得る。これは直接的な表示方式である。或いは、表示される文字は「小米製ルーター」でもあり得る。
【００２８】
他の１つの方式では、アイコン方式にて製造メーカを表示し、例えば、第２のフィールドのフィールド情報がＸｉａｏｍｉ＿Ｒｏｕｔｅｒであり、表示されるのが小米アイコン（ＬＯＧＯ）であり得る。
【００２９】
選択的に、携帯電話は以下の方式にて何の方式にて製造メーカ識別子を表示するかを特定できる。携帯電話は、予め第２のフィールドのフィールド情報と製造メーカ識別子との対応関係を記憶でき、無線装置から送信されたブロードキャスト情報における第２のフィールドを取得した場合、該対応関係を検索して、表１に示すように、第２のフィールドのフィールド情報に対応する製造メーカ識別子を得られる。
【００３０】
【表１】
2017502622.tif 000003
【００３１】
なお、具体的な実施過程において、例えば、上記の文字で製造メーカ識別子を表示する方式を例として説明する場合、仮に携帯電話がブロードキャスト情報における第２のフィールドのフィールド情報を直接的に表示するとすれば、該フィールド情報が具体的に何の情報に設定されるかはメーカにより設定され得、例えば、小米製ルーターのカスタムメイドのメーカ情報がＸｉａｏｍｉ＿Ｒｏｕｔｅｒであり、他のメーカもカスタムメイドの自社情報を作り、ひいては、あるデパート又は店舗も自分の用いる無線ルーターから送信される装置識別子情報を「あるデパート」又は「ある店舗」（これは、デパート又は店舗がルーター製造メーカに通知してカスタムメイドにより実現され得る）に作ることができる。
【００３２】
具体的な実現過程において、携帯電話が取得したブロードキャスト情報における第２のフィールドに基づいて製造メーカ識別子を表示することは、携帯電話にインストールされたＷｉｆｉモジュールにより実現され得る。例えば、Ａｎｄｒｏｉｄ  ｗｉｆｉモジュールの構成はそれぞれｓｅｔｔｉｎｇｓ、ｆｒａｍｅｗｏｒｋ、ｓｕｐｐｌｉｃａｎｔ、ｋｅｒｎｅｌといった４つの部分を含み、それぞれの部分も自分の機能を有し、例えば、無線装置の信号強度、暗号化方式等の情報をスキャンして取得する機能がｋｅｒｎｅｌ部分により実現され得、ｓｕｐｐｌｉｃａｎｔ層がｋｅｒｎｅｌ部分によりスキャンされたｗｉｆｉデータを読み込んで、これらのデータを上層のｓｅｔｔｉｎｇｓ等に送信して表示することができる。
【００３３】
以下はｓｕｐｐｌｉｃａｎｔの取得したｗｉｆｉスキャンデータのフォーマットである。
／＊＊
＊  Ｆｏｒｍａｔ  ｏｆ  ｒｅｓｕｌｔｓ：
＊  ＝＝＝＝＝＝＝＝＝＝＝＝＝＝＝＝＝
＊  ｉｄ＝１
＊  ｂｓｓｉｄ＝６８：７ｆ：７４：ｄ７：１ｂ：６ｅ
＊  ｆｒｅｑ＝２４１２
＊  ｌｅｖｅｌ＝−４３
＊  ｔｓｆ＝１３４４６２１９７５１６０９４４
＊  ａｇｅ＝２６２３
＊  ｆｌａｇｓ＝［ＷＰＡ２−ＰＳＫ−ＣＣＭＰ］［ＷＰＳ］［ＥＳＳ］
＊  ｓｓｉｄ＝ｚｕｂｙｂ
＊  ＝＝＝＝          ＊／
【００３４】
それは、ｂｓｓｉｄ（ルーターのｍａｃアドレス）、ｆｒｅｑ（ルーター帯域）、ｌｅｖｅｌ（信号強度）、ｆｌａｇｓ（暗号化方式）、及びＳｓｉｄ（ルーター名称）を含む。これらの情報の何れも無線ルーターから送信され、ｋｅｒｎｅｌ部分により取得されたものである。無線ルーターから送信されたブロードキャスト情報は上記のｂｓｓｉｄ、ｆｒｅｑ等の少なくとも１種を含み得る。本発明の実施例において、ｓｕｐｐｌｉｃａｎｔ層に１のフィールドｗｐｓ＿ｄｅｖｉｃｅ＿ｎａｍｅ、例えば、ｗｐｓ＿ｄｅｖｉｃｅ＿ｎａｍｅ＝Ｘｉａｏｍｉ＿Ｒｏｕｔｅｒを付加することによって、ｓｕｐｐｌｉｃａｎｔ層がＸｉａｏｍｉ＿Ｒｏｕｔｅｒを取得すると共にフィールドｗｐｓ＿ｄｅｖｉｃｅ＿ｎａｍｅを介して該情報を上層に伝達し表示することができる。
【００３５】
選択的に、図５は無線リストの表示方式を例示的に示す。図５を参照して、無線装置の表示装置が設置される携帯電話４１は、周囲のＷｉｆｉ信号を取得した後、図５に示す複数の無線信号アクセスポイントを含むＷＬＡＮリストを表示するとともに、これらのアクセスポイントの関係情報、例えば、無線ルーターの信号強度を示す識別子４２、暗号化されたか否かを示す識別子４３、暗号化方式の関係記述４４、無線ルーターの名称４５等の情報を表示する。本実施例において、表示される無線ルーターの情報は、さらに、その製造メーカ識別子４６を含み、該製造メーカ識別子が無線ルーターのメーカ情報、即ち、どのメーカが該ルーターを製造するかを表示するために用いられる。図５より分かるように、無線装置リストにおいて、製造メーカ識別子を無線装置の名称の後に表示し得る。
【００３６】
もちろん、無線ルーターから送信されたブロードキャスト情報において、第２のフィールドが空であり得、この場合、携帯電話が該ブロードキャスト情報を取得した後、ルーターのメーカ情報を表示しなければよく、例えば、ルーターの名称、信号強度等の他の装置情報だけを表示すればよい。
【００３７】
本発明の実施例に係る方法を実際的に応用する場合、ユーザは無線装置リストを検索し、上記の暗号化方式、信号強度、製造メーカ識別子等の情報に基づいて、どの無線ルーターによるアクセスを選択するかを特定することができる。例えば、スキャンされた各ルーター情報において、２つ又は複数のルーターの信号強度が類似であり、暗号化方式も類似であるといった状況が現れる可能性があり、この場合、この実施例の製造メーカ識別子がないと、ユーザはどのルーターを介してアクセスするかを快速に特定できない可能性がある。この実施例に係る無線ルーターの装置識別子に基づいて、ユーザは自分の比較的信頼するメーカのルーターを選択してアクセスを行うことができ、例えば、ユーザが小米製ルーターを比較的信頼する場合、図４に示す小米の識別子に基づき、ＷＬＡＮリストにおけるｘｉａｏｑｉａｎｇ＿ａｃという無線ルーターを選択してネットワークにアクセスすることができる。
【００３８】
なお、他の実施例において、無線装置がブルートゥースである、例えば、小米携帯電話にインストールされたブルートゥースである場合、携帯電話に表示される製造メーカ識別子は該ブルートゥースの装置情報、例えば、小米携帯電話であり得る。
【００３９】
もう１つの実施例において、本発明の実施例に係る製造メーカ識別子は、予め設定された、特定無線装置に対する特定識別子であり得る。例えば、小米製無線ルーターのｗｉｆｉ信号を取得するときしか、アクセス案内情報をホップアップでユーザに通知しないように設定することができる。図６を参照して、装置通知情報を示し、ユーザに小米製無線ルーターにアクセスするか否かを通知する。このような方式において、Ｘｉａｏｍｉ＿Ｒｏｕｔｅｒは、予め設定された特定識別子として作用する。予め設定された該特定識別子を取得すると、図６に示す方式と類似する方式にて装置通知情報を通じて該特定識別子を表示し、ユーザに対しアクセスを通知するという機能を携帯電話に設置することができる。
【００４０】
図７は例示的な実施例における無線装置の表示装置の構造を示すブロック図（実際的な実施過程において、それに対応する装置は無線ルーター、又は、ＷｉＦｉモジュールを含む他の任意の装置であってもよい）。該装置における各モジュールが操作を実行する具体的な方式は既に該方法に係わる実施例において詳細に説明しているので、ここに、詳細に説明しない。図７を参照して、該装置は情報取得手段７１、情報処理手段７２及び情報表示手段７３を含んおり、
情報取得手段７１は、無線装置から送信された、前記無線装置の名称を表示する第１のフィールドと、前記無線装置の製造メーカを表示する第２のフィールドを少なくとも含むブロードキャスト情報を、取得するために用いられる。
【００４１】
情報処理手段７２は、前記第２のフィールドに基づいて前記無線装置の製造メーカ識別子を取得するために用いられる。
【００４２】
情報表示手段７３は、無線装置リストにおいて前記無線装置の名称および前記製造メーカ識別子を表示するために用いられる。
【００４３】
例えば、無線装置は無線ルーター又はブルートゥースである。
【００４４】
選択的に、情報処理手段７２は、具体的に、前記第２のフィールドにおけるフィールド情報に基づいて、予め記憶されたフィールド情報と製造メーカ識別子との対応関係を検索して、フィールド情報に対応する前記製造メーカ識別子を得るために用いられる。
【００４５】
選択的に、前記製造メーカ識別子は、製造メーカの文字識別子、又は、製造メーカのアイコン識別子を含む。
【００４６】
選択的に、情報表示手段７３は、無線装置リストにおいて、前記製造メーカ識別子を前記無線装置の名称の後に表示させるために用いられる。
【００４７】
選択的に、情報取得手段７１は、さらに、無線装置から送信されたブロードキャスト情報を取得するために用いられ、前記ブロードキャスト情報に含まれる前記第２のフィールドが空である。前記情報表示手段７３は、さらに、前記情報取得手段の取得した第２のフィールドが空である場合、前記無線装置リストにおいて少なくとも前記無線装置の名称を表示するために用いられる。
【００４８】
選択的に、前記ブロードキャスト情報はさらに、前記無線装置のＭＡＣアドレス、帯域、信号強度及び暗号化方式のような少なくとも１種を含む。
【００４９】
選択的に、情報表示手段７３は、無線装置リストにおいて無線装置の信号強度を表示するために用いられる。
【００５０】
図８は例示的な実施例における無線装置の構造を示すブロック図である。該装置は、情報構築手段８１と情報送信手段８２を含み得、ここで、
情報構築手段８１は、無線装置の製造メーカを表示する第２のフィールドを構築するために用いられる。
【００５１】
情報送信手段８２は、前記第２のフィールドをブロードキャスト情報に付加するとともに、前記ブロードキャスト情報を送信するために用いられ、前記ブロードキャスト情報は、無線装置の名称を表示する第１のフィールドと、前記第２のフィールドとを少なくとも含む。
【００５２】
図９は、例示的な実施例における端末８００を示すブロック図である。例えば、装置８００は携帯電話、コンピュータ、デジタルブロードキャスト端末、メッセージ受発信手段、ゲームコンソール、タブレットデバイス、医療機器、フィットネス機器、パーソナルデジタルアシスタント等であってもよい。
【００５３】
図９を参照して、装置８００は、プロセスアセンブリ８０２、メモリ８０４、電源アセンブリ８０６、マルチメディアアセンブリ８０８、オーディオアセンブリ８１０、入力／出力（Ｉ／Ｏ）インターフェイス８１２、センサアセンブリ８１４、及び通信アセンブリ８１６のような一つ以上のアセンブリを含んでよい。
【００５４】
プロセスアセンブリ８０２は、一般的には装置８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【００５５】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【００５６】
電源アセンブリ８０６は、装置８００の多様なアセンブリに電力を供給する。電源アセンブリ８０６は、電源管理システム、一つ以上の電源、及び装置８００のための電力の生成、管理及び割り当てに関連する他のアセンブリを含んでもよい。
【００５７】
マルチメディアアセンブリ８０８は、前記装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ、及び／又はリアーカメラを含む。装置８００が、例えば撮影モード、或はビデオモード等の操作モードにある場合、フロントカメラ、及び／又はリアーカメラは外部からマルチメディアデータを受信できる。フロントカメラとリアーカメラのそれぞれは、一つの固定型の光レンズ系、或は可変焦点距離と光学ズーム機能を有するものであってもよい。
【００５８】
オーディオアセンブリ８１０は、オーディオ信号をインターフェースするように構成されてもよい。例えば、オーディオアセンブリ８１０は、一つのマイク（ＭＩＣ）を含み、装置８００、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【００５９】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００６０】
センサアセンブリ８１４は、装置８００に各方面の状態に対する評価を提供するための一つ以上のセンサを含む。例えば、センサアセンブリ８１４は、装置８００のＯＮ／ＯＦＦ状態、装置８００のディスプレイとキーパッドのようなアセンブリの相対的な位置決めを検出できる。また、例えば、センサアセンブリ８１４は、装置８００、或は装置８００の一つのアセンブリの位置変更、ユーザと装置８００とが接触しているか否か、装置８００の方位、又は加速／減速、装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【００６１】
通信アセンブリ８１６は、装置８００と他の機器の間に有線、又は無線形態の通信を提供する。装置８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、ブロードキャストチャンネルを介して外部のブロードキャスト管理システムからのブロードキャスト信号、又はブロードキャストに関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【００６２】
例示的な実施例において、装置８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【００６３】
例示的な実施例において、さらに、命令を含む非揮発性のコンピュータで読み取り可能な記憶媒体、例えば命令を含むメモリ８０４を提供しており、装置８００のプロセッサ８２０により上記命令を実行して上記方法を実現する。例えば、前記非揮発性のコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光データ記憶デバイス等である。
【００６４】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【００６５】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
2017502622.tif 000004
【図２】
2017502622.tif 000005
【図３】
2017502622.tif 000006
【図４】
2017502622.tif 000007
【図５】
2017502622.tif 000008
【図６】
2017502622.tif 000009
【図７】
2017502622.tif 000010
【図８】
2017502622.tif 000011
【図９】
2017502622.tif 000012
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
無線装置から送信された、前記無線装置の名称を表示する第１のフィールドと、前記無線装置の製造メーカを表示する第２のフィールドとを少なくとも含むブロードキャスト情報を、取得するステップと、
前記第２のフィールドに基づいて前記無線装置の製造メーカ識別子を取得するステップと、
無線装置リストにおいて、前記無線装置の名称および前記製造メーカ識別子を表示するステップと、を含む
ことを特徴とする無線装置リストの表示方法。
【請求項２】
前記第２のフィールドに基づいて前記無線装置の製造メーカ識別子を取得するステップは、
前記第２のフィールドにおけるフィールド情報に基づいて、予め記憶されたフィールド情報と製造メーカ識別子との対応関係を検索し、前記フィールド情報に対応する前記製造メーカ識別子を取得するステップを含む
ことを特徴とする請求項１に記載の方法。
【請求項３】
前記製造メーカ識別子は、製造メーカの文字識別子、または、製造メーカのアイコン識別子を含む
ことを特徴とする請求項１に記載の方法。
【請求項４】
無線装置リストにおいて、前記無線装置の名称および前記製造メーカ識別子を表示するステップは、
無線装置リストにおいて、前記製造メーカ識別子を前記無線装置の名称の後に表示するステップを含む
ことを特徴とする請求項１に記載の方法。
【請求項５】
さらに、前記第２のフィールドのフィールド情報が空である場合、前記無線装置リストにおいて少なくとも前記無線装置の名称を表示するステップを含む
ことを特徴とする請求項１に記載の方法。
【請求項６】
無線装置リストにおいて、前記無線装置の名称および前記製造メーカ識別子を表示するステップは、
前記無線装置のみを含む装置通知情報をホップアップで表示し、前記無線装置の名称および前記製造メーカ識別子を、前記装置通知情報に設定して表示するステップを含む
ことを特徴とする請求項１に記載の方法。
【請求項７】
前記ブロードキャスト情報は、さらに、前記無線装置のＭＡＣアドレス、帯域、信号強度及び暗号化方式の少なくとも１種を含む
ことを特徴とする請求項１に記載の方法。
【請求項８】
さらに、前記無線装置リストにおいて前記無線装置の信号強度を表示するステップを含む
ことを特徴とする請求項１に記載の方法。
【請求項９】
無線装置の製造メーカを表示する第２のフィールドを構築するステップと、
前記第２のフィールドをブロードキャスト情報に付加するとともに、前記ブロードキャスト情報を送信するステップと、を含み、
前記ブロードキャスト情報は、前記無線装置の名称を表示する第１のフィールドと、前記第２のフィールドとを少なくとも含む
ことを特徴とする無線装置のブロードキャストの方法。
【請求項１０】
無線装置から送信された、前記無線装置の名称を表示する第１のフィールドと、前記無線装置の製造メーカを表示する第２のフィールドとを少なくとも含むブロードキャスト情報を、取得する情報取得手段と、
前記第２のフィールドに基づいて前記無線装置の製造メーカ識別子を取得する情報処理手段と、
無線装置リストにおいて前記無線装置の名称および前記製造メーカ識別子を表示する情報表示手段とを含む
ことを特徴とする無線装置の表示装置。
【請求項１１】
前記情報処理手段は、具体的に、前記第２のフィールドにおけるフィールド情報に基づいて、予め記憶されたフィールド情報と製造メーカ識別子との対応関係を検索し、前記フィールド情報に対応する前記製造メーカ識別子を取得する
ことを特徴とする請求項１０に記載の装置。
【請求項１２】
前記製造メーカ識別子は、製造メーカの文字識別子、又は、製造メーカのアイコン識別子を含む
ことを特徴とする請求項１０に記載の装置。
【請求項１３】
前記情報表示手段は、具体的に、無線装置リストにおいて、前記無線装置の名称の後に前記製造メーカ識別子を表示する
ことを特徴とする請求項１０に記載の装置。
【請求項１４】
前記情報取得手段は、さらに、無線装置から送信されたブロードキャスト情報を取得し、前記ブロードキャスト情報に含まれる前記第２のフィールドが空であり、
前記情報表示手段は、さらに、前記情報取得手段の取得した第２のフィールドが空である場合、前記無線装置リストにおいて少なくとも前記無線装置の名称を表示する
ことを特徴とする請求項１０に記載の装置。
【請求項１５】
前記ブロードキャスト情報は、さらに、前記無線装置のＭＡＣアドレス、帯域、信号強度及び暗号化方式の少なくとも１種を含む
ことを特徴とする請求項１０に記載の装置。
【請求項１６】
前記情報表示手段は、さらに、前記無線装置リストにおいて前記無線装置の信号強度を表示する
ことを特徴とする請求項１０に記載の装置。
【請求項１７】
無線装置の製造メーカを表示する第２のフィールドを構築する情報構築手段と、
前記第２のフィールドをブロードキャスト情報に付加するとともに、前記ブロードキャスト情報を送信する情報送信手段とを含み、
前記ブロードキャスト情報は、無線装置の名称を表示する第１のフィールドと、前記第２のフィールドを少なくとも含む
ことを特徴とする無線装置。
【請求項１８】
プロセッサと、
プロセッサにより実行可能な指令を記憶するメモリと、を備え、
前記プロセッサは、
無線装置から送信された、前記無線装置の名称を表示する第１のフィールドと、前記無線装置の製造メーカを表示する第２のフィールドとを少なくとも含むブロードキャスト情報を取得し、前記第２のフィールドに基づいて前記無線装置の製造メーカ識別子を取得し、無線装置リストにおいて前記無線装置の名称および前記製造メーカ識別子を表示する
ことを特徴とする無線装置の表示装置。
【請求項１９】
プロセッサに実行されることにより、請求項１から請求項９のいずれかに記載の方法を実現することを特徴とするプログラム。
【請求項２０】
請求項１９に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願は、出願番号がＣＮ２０１４１０５５９７９０．７であって、出願日が２０１４年１０月２０日である中国特許出願に基づき優先権を主張し、当該中国特許出願のすべての内容を本願に援用する。
【０００２】
本発明はインテリジェント端末技術に関し、特に、無線装置リストの表示方法及びその表示装置、無線装置及びそのブロードキャストの方法、プログラム及び記録媒体に関している。
【背景技術】
【０００３】
ユーザがインテリジェント端末を用いる、例えば、自分のスマートフォンを用いる場合、該携帯電話は周囲の無線装置の情報、例えば、周囲のＷＬＡＮアクセスポイント、又は、ブルートゥース（ｂｌｕｅｔｏｏｔｈ）等を取得することができ、ユーザは該無線装置に基づいてネットワークにアクセスする、または、情報伝送を行うことができる。
【発明の概要】
【発明が解決しようとする課題】
【０００４】
関係技術において、一般的に、携帯電話は無線装置の情報を取得すると、周囲の各無線ルーターの識別子、信号強度、暗号化されたか否か等のような情報が含まれる無線装置リストはユーザの携帯電話に表示されるが、ユーザは依然として今現在の無線装置リストに表示される情報が比較的少ないと感じて、どの無線装置を選択しアクセスするかを特定できないことがある。例えば、上記の無線装置リストには、信号強度等の情報の何れも比較的近い２つの無線装置は表示されている場合、ユーザはどの無線装置を選択すればよいかを特定し難いので、無線ネットワークの利用効率は一定の程度で低減されてしまう。
【課題を解決するための手段】
【０００５】
関係技術に存在する問題を解消するために、本発明は無線装置リストの表示方法及びその表示装置、無線装置及びそのブロードキャストの方法、プログラム及び記録媒体を提供することにより、無線装置リストにおける情報内容を増加する。
【０００６】
本発明の実施例の第１の局面によれば、無線装置リストの表示方法を提供し、当該方法は、
無線装置から送信された、前記無線装置の名称を表示する第１のフィールドと、前記無線装置の製造メーカを表示する第２のフィールドとを少なくとも含むブロードキャスト情報を、取得するステップと、
前記第２のフィールドに基づいて前記無線装置の製造メーカ識別子を取得するステップと、
無線装置リストにおいて、前記無線装置の名称および前記製造メーカ識別子を表示するステップと、を含む。
【０００７】
本発明の実施例の第２の局面によれば、無線装置のブロードキャストの方法を提供し、当該方法は、
無線装置の製造メーカを表示する第２のフィールドを構築するステップと、
前記第２のフィールドをブロードキャスト情報に付加するとともに、前記ブロードキャスト情報を送信するステップと、を含み、
前記ブロードキャスト情報は、前記無線装置の名称を表示する第１のフィールドと、前記第２のフィールドとを少なくとも含む。
【０００８】
本発明の実施例の第３の局面によれば、無線装置の表示装置を提供し、当該表示装置は、
無線装置から送信された、前記無線装置の名称を表示する第１のフィールドと、前記無線装置の製造メーカを表示する第２のフィールドとを少なくとも含むブロードキャスト情報を、取得する情報取得手段と、
前記第２のフィールドに基づいて前記無線装置の製造メーカ識別子を取得する情報処理手段と、
無線装置リストにおいて前記無線装置の名称および前記製造メーカ識別子を表示する情報表示手段とを含む。
【０００９】
本発明の実施例の第４の局面によれば、無線装置を提供し、当該無線装置は、
無線装置の製造メーカを表示する第２のフィールドを構築する情報構築手段と、
前記第２のフィールドをブロードキャスト情報に付加するとともに、前記ブロードキャスト情報を送信する情報送信手段と、を含み、
前記ブロードキャスト情報は、前記無線装置の名称を表示する第１のフィールドと、前記第２のフィールドとを少なくとも含む。
【００１０】
本発明の実施例の第５局面によれば、無線装置の表示装置を提供し、当該表示装置は、
プロセッサと、
プロセッサにより実行可能な指令を記憶するメモリと、を備え、
前記プロセッサは、
無線装置から送信された、前記無線装置の名称を表示する第１のフィールドと、前記無線装置の製造メーカを表示する第２のフィールドとを少なくとも含むブロードキャスト情報を取得し、前記第２のフィールドに基づいて前記無線装置の製造メーカ識別子を取得し、無線装置リストにおいて前記無線装置の名称および前記製造メーカ識別子を表示する。
【００１１】
本発明のその他の方面は、
プロセッサに実行されることにより、前記方法を実現することを特徴とするプログラムを提供する。
【００１２】
本発明のその他の方面は、
前記プログラムが記録された記録媒体を提供する。
【００１３】
本発明の実施例に提示される技術案は以下の有益な効果を含み得る。無線装置から送信されたブロードキャスト情報に無線装置製造メーカを表示する第２のフィールドを付加するとともに、これに基づいて製造メーカ識別子を表示することによって、無線装置リストに該装置に関する関係情報を付加し、ユーザのためにより多くの参照装置を提供できる。
【００１４】
以上の一般的な記述及び以下の詳細な記述は、例示のものに過ぎず、本開示を限定するものではないと理解すべきである。
【図面の簡単な説明】
【００１５】
ここでの図面は、本明細書の一部として、本発明に適切な実施例を示し、明細書と合わせて本発明の原理を解釈する。
【図１】例示的な実施例における無線装置リストの表示方法の応用シーンを示す図である。
【図２】例示的な実施例における無線装置リストの表示方法の他の応用シーンを示す図である。
【図３】例示的な実施例における無線装置リストの表示方法を示すフローチャートである。
【図４】例示的な実施例における無線装置のブロードキャストの方法を示すフローチャートである。
【図５】例示的な実施例における無線装置リストの表示方法におけるスキャンリストを示す図である。
【図６】例示的な実施例における無線装置リストの表示方法における案内情報を示す図である。
【図７】例示的な実施例における無線装置の表示装置の構造を示すブロック図である。
【図８】例示的な実施例における無線装置の構造を示すブロック図である。
【図９】例示的な実施例における端末を示すブロック図である。
【発明を実施するための形態】
【００１６】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００１７】
図１は本発明の実施例に係る無線装置リストの表示方法の応用シーンを例示的に示す。該シーンにおいて、ユーザの用いる携帯電話は周囲に使用可能な無線信号があるか否かを取得できる。仮に該ユーザの周囲に無線ネットワークのアクセスのために用いられる３つの無線装置ＡＰ１、ＡＰ２及びＡＰ３がある。ユーザの携帯電話は上記ＡＰから送信されたブロードキャスト情報を取得でき、且つ、該ブロードキャスト情報に基づいてこの３つの無線装置に対応する無線装置リストを表示できる。本発明の実施例に係る無線装置リストの表示方法は如何に無線装置の関係情報をユーザに表示するかを記述する。
【００１８】
図２は本発明の実施例に係る無線装置リストの表示方法の他の応用シーンを示す。該シーンにおいて、ユーザは自分の携帯電話を用いてブルートゥースを介して他のフレンドの携帯電話との情報伝送を行おうとしており、例えば、ブルートゥースを介してフレンドの携帯電話における一部の写真を取得しようとしている。この場合、ユーザの携帯電話は周囲のブルートゥース信号も取得でき、携帯電話に図２に示す２つのブルートゥースの情報が表示される。本発明の実施例に係る無線装置リストの表示方法は該シーンにおいてブルートゥースのリストを表示することもできる。
【００１９】
上記のＡＰ、ブルートゥース等の何れも無線装置に該当しており、本発明の実施例に係る無線装置リストの表示方法は該無線装置の表示に応用され得る。他のシーンを一々に列挙しないが、具体的な実施過程において、本発明に係る方法は上記の図１及び図２に示すシーンに限られず、無線信号表示に関する他の類似のシーンにも応用され得る。且つ、本発明に係る方法において、ユーザは必ずしも携帯電話を用いて無線装置の情報を取得するのでなく、同等の機能を有する他の端末装置を用いてもよい。
【００２０】
本発明の実施例に係る無線装置リストの表示方法は、端末装置に設置されている無線装置の表示装置により実行され、以下、ユーザの携帯電話を例にし、ユーザが携帯電話を用いて周囲のＷｉｆｉ信号を取得することを例として、本発明の無線装置リストの表示方法について説明を行う。携帯電話には該方法を実行するための無線装置の表示装置は設置されており、該携帯電話は該装置を介して図３に示す方法を実行し得る。
【００２１】
ステップ３０１において、無線装置から送信された、少なくとも無線装置の名称を表示する第１のフィールドと、無線装置の製造メーカを表示する第２のフィールドを含むブロードキャスト情報を取得する。
【００２２】
ステップ３０２において、前記第２のフィールドに基づいて、前記無線装置の製造メーカ識別子を取得する。
【００２３】
ステップ３０３において、無線装置リストにおいて前記無線装置の名称および前記製造メーカ識別子を表示する。
【００２４】
相応に、図４を参照して、本発明の実施例はさらに無線装置により実行される無線装置のブロードキャストの方法を提供し、
無線装置の製造メーカを表示する第２のフィールドを構築するステップ４０１と、
前記第２のフィールドを、前記無線装置の名称を表示する第１のフィールドと前記第２のフィールドとを少なくとも含むブロードキャスト情報に付加すると共に、前記ブロードキャスト情報を送信するステップ４０２と、を含む。
【００２５】
上記の図３及び図４に示す方法プロセスにおいて、本発明の実施例に係る無線装置がブロードキャスト情報を送信する際に、該ブロードキャスト情報に無線装置の製造メーカを表示する第２のフィールドのフィールド情報を付加することによって、ユーザの携帯電話が該ブロードキャスト情報を取得する場合、該第２のフィールドに基づいて無線装置リストに無線装置の製造メーカの識別子を表示することができる。
【００２６】
例えば、ステップ４０１において、無線装置、例えば、ルーターは、ルーターの製造メーカに基づいて無線装置の製造メーカを表示する第２のフィールドを構築することができる。以下、列挙して説明を行う。仮に小米（製造メーカ）製ルーターが製造される際に、その製造メーカである小米に基づいて小米を表示する第２のフィールド、例えば、該フィールドがｗｐｓ＿ｄｅｖｉｃｅ＿ｎａｍｅを構築できるとすれば、フィールド情報をＸｉａｏｍｉ＿Ｒｏｕｔｅｒに設置することは、即ち、Ｘｉａｏｍｉ＿Ｒｏｕｔｅｒをｗｐｓ＿ｄｅｖｉｃｅ＿ｎａｍｅフィールドに書込むことである。ステップ４０２において、小米製ルーターはブロードキャスト情報のビーコン（ｂｅａｃｏｎ）を送信する際に、上記の第２のフィールドが付けられ、該ブロードキャスト情報にはさらにルーターの名称を表示するための第１のフィールドが付けられ、例えば、該第１のフィールドがユーザー定義のｑｉｊｉａである。
【００２７】
上記のステップ３０１〜３０３に記載されているように、ユーザの携帯電話は、ルーターから送信された、上記の第１のフィールド及び第２のフィールドが付けられたブロードキャスト情報を取得した後、第２のフィールドに基づいて無線装置の製造メーカ識別子を取得するとともに、無線リストに該無線装置の名称及び製造メーカ識別子を表示する。具体的には、上記の小米製ルーターを例として次のとおり説明を行う。ルーターによって送信されたブロードキャスト情報に付けた第２のフィールドのフィールド情報はＸｉａｏｍｉ＿Ｒｏｕｔｅｒであり、携帯電話が該Ｘｉａｏｍｉ＿Ｒｏｕｔｅｒに基づいて、対応する表示すべき多種の方式にて表示され得る製造メーカ識別子を特定しなければならず、例えば、製造メーカ識別子が製造メーカの文字識別子、又は、製造メーカのアイコン識別子を含み得る。
【００２８】
以下、２種の選択可能な表示方式を列挙する。
【００２９】
１つの方式では、文字方式にて製造メーカを表示し、例えば、第２のフィールドのフィールド情報がＸｉａｏｍｉ＿Ｒｏｕｔｅｒであり、ＷＬＡＮのリストにＸｉａｏｍｉ＿Ｒｏｕｔｅｒを直接的に表示し得る。これは直接的な表示方式である。或いは、表示される文字は「小米製ルーター」でもあり得る。
【００３０】
他の１つの方式では、アイコン方式にて製造メーカを表示し、例えば、第２のフィールドのフィールド情報がＸｉａｏｍｉ＿Ｒｏｕｔｅｒであり、表示されるのが小米アイコン（ＬＯＧＯ）であり得る。
【００３１】
選択的に、携帯電話は以下の方式にて何の方式にて製造メーカ識別子を表示するかを特定できる。携帯電話は、予め第２のフィールドのフィールド情報と製造メーカ識別子との対応関係を記憶でき、無線装置から送信されたブロードキャスト情報における第２のフィールドを取得した場合、該対応関係を検索して、表１に示すように、第２のフィールドのフィールド情報に対応する製造メーカ識別子を得られる。
【００３２】
【表１】
2017502622.tif 000013
【００３３】
なお、具体的な実施過程において、例えば、上記の文字で製造メーカ識別子を表示する方式を例として説明する場合、仮に携帯電話がブロードキャスト情報における第２のフィールドのフィールド情報を直接的に表示するとすれば、該フィールド情報が具体的に何の情報に設定されるかはメーカにより設定され得、例えば、小米製ルーターのカスタムメイドのメーカ情報がＸｉａｏｍｉ＿Ｒｏｕｔｅｒであり、他のメーカもカスタムメイドの自社情報を作り、ひいては、あるデパート又は店舗も自分の用いる無線ルーターから送信される装置識別子情報を「あるデパート」又は「ある店舗」（これは、デパート又は店舗がルーター製造メーカに通知してカスタムメイドにより実現され得る）に作ることができる。
【００３４】
具体的な実現過程において、携帯電話が取得したブロードキャスト情報における第２のフィールドに基づいて製造メーカ識別子を表示することは、携帯電話にインストールされたＷｉｆｉモジュールにより実現され得る。例えば、Ａｎｄｒｏｉｄ  ｗｉｆｉモジュールの構成はそれぞれｓｅｔｔｉｎｇｓ、ｆｒａｍｅｗｏｒｋ、ｓｕｐｐｌｉｃａｎｔ、ｋｅｒｎｅｌといった４つの部分を含み、それぞれの部分も自分の機能を有し、例えば、無線装置の信号強度、暗号化方式等の情報をスキャンして取得する機能がｋｅｒｎｅｌ部分により実現され得、ｓｕｐｐｌｉｃａｎｔ層がｋｅｒｎｅｌ部分によりスキャンされたｗｉｆｉデータを読み込んで、これらのデータを上層のｓｅｔｔｉｎｇｓ等に送信して表示することができる。
【００３５】
以下はｓｕｐｐｌｉｃａｎｔの取得したｗｉｆｉスキャンデータのフォーマットである。
／＊＊
＊  Ｆｏｒｍａｔ  ｏｆ  ｒｅｓｕｌｔｓ：
＊  ＝＝＝＝＝＝＝＝＝＝＝＝＝＝＝＝＝
＊  ｉｄ＝１
＊  ｂｓｓｉｄ＝６８：７ｆ：７４：ｄ７：１ｂ：６ｅ
＊  ｆｒｅｑ＝２４１２
＊  ｌｅｖｅｌ＝−４３
＊  ｔｓｆ＝１３４４６２１９７５１６０９４４
＊  ａｇｅ＝２６２３
＊  ｆｌａｇｓ＝［ＷＰＡ２−ＰＳＫ−ＣＣＭＰ］［ＷＰＳ］［ＥＳＳ］
＊  ｓｓｉｄ＝ｚｕｂｙｂ
＊  ＝＝＝＝          ＊／
【００３６】
それは、ｂｓｓｉｄ（ルーターのｍａｃアドレス）、ｆｒｅｑ（ルーター帯域）、ｌｅｖｅｌ（信号強度）、ｆｌａｇｓ（暗号化方式）、及びＳｓｉｄ（ルーター名称）を含む。これらの情報の何れも無線ルーターから送信され、ｋｅｒｎｅｌ部分により取得されたものである。無線ルーターから送信されたブロードキャスト情報は上記のｂｓｓｉｄ、ｆｒｅｑ等の少なくとも１種を含み得る。本発明の実施例において、ｓｕｐｐｌｉｃａｎｔ層に１のフィールドｗｐｓ＿ｄｅｖｉｃｅ＿ｎａｍｅ、例えば、ｗｐｓ＿ｄｅｖｉｃｅ＿ｎａｍｅ＝Ｘｉａｏｍｉ＿Ｒｏｕｔｅｒを付加することによって、ｓｕｐｐｌｉｃａｎｔ層がＸｉａｏｍｉ＿Ｒｏｕｔｅｒを取得すると共にフィールドｗｐｓ＿ｄｅｖｉｃｅ＿ｎａｍｅを介して該情報を上層に伝達し表示することができる。
【００３７】
選択的に、図５は無線リストの表示方式を例示的に示す。図５を参照して、無線装置の表示装置が設置される携帯電話４１は、周囲のＷｉｆｉ信号を取得した後、図５に示す複数の無線信号アクセスポイントを含むＷＬＡＮリストを表示するとともに、これらのアクセスポイントの関係情報、例えば、無線ルーターの信号強度を示す識別子４２、暗号化されたか否かを示す識別子４３、暗号化方式の関係記述４４、無線ルーターの名称４５等の情報を表示する。本実施例において、表示される無線ルーターの情報は、さらに、その製造メーカ識別子４６を含み、該製造メーカ識別子が無線ルーターのメーカ情報、即ち、どのメーカが該ルーターを製造するかを表示するために用いられる。図５より分かるように、無線装置リストにおいて、製造メーカ識別子を無線装置の名称の後に表示し得る。
【００３８】
もちろん、無線ルーターから送信されたブロードキャスト情報において、第２のフィールドが空であり得、この場合、携帯電話が該ブロードキャスト情報を取得した後、ルーターのメーカ情報を表示しなければよく、例えば、ルーターの名称、信号強度等の他の装置情報だけを表示すればよい。
【００３９】
本発明の実施例に係る方法を実際的に応用する場合、ユーザは無線装置リストを検索し、上記の暗号化方式、信号強度、製造メーカ識別子等の情報に基づいて、どの無線ルーターによるアクセスを選択するかを特定することができる。例えば、スキャンされた各ルーター情報において、２つ又は複数のルーターの信号強度が類似であり、暗号化方式も類似であるといった状況が現れる可能性があり、この場合、この実施例の製造メーカ識別子がないと、ユーザはどのルーターを介してアクセスするかを快速に特定できない可能性がある。この実施例に係る無線ルーターの装置識別子に基づいて、ユーザは自分の比較的信頼するメーカのルーターを選択してアクセスを行うことができ、例えば、ユーザが小米製ルーターを比較的信頼する場合、図４に示す小米の識別子に基づき、ＷＬＡＮリストにおけるｘｉａｏｑｉａｎｇ＿ａｃという無線ルーターを選択してネットワークにアクセスすることができる。
【００４０】
なお、他の実施例において、無線装置がブルートゥースである、例えば、小米携帯電話にインストールされたブルートゥースである場合、携帯電話に表示される製造メーカ識別子は該ブルートゥースの装置情報、例えば、小米携帯電話であり得る。
【００４１】
もう１つの実施例において、本発明の実施例に係る製造メーカ識別子は、予め設定された、特定無線装置に対する特定識別子であり得る。例えば、小米製無線ルーターのｗｉｆｉ信号を取得するときしか、アクセス案内情報をホップアップでユーザに通知しないように設定することができる。図６を参照して、装置通知情報を示し、ユーザに小米製無線ルーターにアクセスするか否かを通知する。このような方式において、Ｘｉａｏｍｉ＿Ｒｏｕｔｅｒは、予め設定された特定識別子として作用する。予め設定された該特定識別子を取得すると、図６に示す方式と類似する方式にて装置通知情報を通じて該特定識別子を表示し、ユーザに対しアクセスを通知するという機能を携帯電話に設置することができる。
【００４２】
図７は例示的な実施例における無線装置の表示装置の構造を示すブロック図（実際的な実施過程において、それに対応する装置は無線ルーター、又は、ＷｉＦｉモジュールを含む他の任意の装置であってもよい）。該装置における各モジュールが操作を実行する具体的な方式は既に該方法に係わる実施例において詳細に説明しているので、ここに、詳細に説明しない。図７を参照して、該装置は情報取得手段７１、情報処理手段７２及び情報表示手段７３を含んおり、
情報取得手段７１は、無線装置から送信された、前記無線装置の名称を表示する第１のフィールドと、前記無線装置の製造メーカを表示する第２のフィールドを少なくとも含むブロードキャスト情報を、取得するために用いられる。
【００４３】
情報処理手段７２は、前記第２のフィールドに基づいて前記無線装置の製造メーカ識別子を取得するために用いられる。
【００４４】
情報表示手段７３は、無線装置リストにおいて前記無線装置の名称および前記製造メーカ識別子を表示するために用いられる。
【００４５】
例えば、無線装置は無線ルーター又はブルートゥースである。
【００４６】
選択的に、情報処理手段７２は、具体的に、前記第２のフィールドにおけるフィールド情報に基づいて、予め記憶されたフィールド情報と製造メーカ識別子との対応関係を検索して、フィールド情報に対応する前記製造メーカ識別子を得るために用いられる。
【００４７】
選択的に、前記製造メーカ識別子は、製造メーカの文字識別子、又は、製造メーカのアイコン識別子を含む。
【００４８】
選択的に、情報表示手段７３は、無線装置リストにおいて、前記製造メーカ識別子を前記無線装置の名称の後に表示させるために用いられる。
【００４９】
選択的に、情報取得手段７１は、さらに、無線装置から送信されたブロードキャスト情報を取得するために用いられ、前記ブロードキャスト情報に含まれる前記第２のフィールドが空である。前記情報表示手段７３は、さらに、前記情報取得手段の取得した第２のフィールドが空である場合、前記無線装置リストにおいて少なくとも前記無線装置の名称を表示するために用いられる。
【００５０】
選択的に、前記ブロードキャスト情報はさらに、前記無線装置のＭＡＣアドレス、帯域、信号強度及び暗号化方式のような少なくとも１種を含む。
【００５１】
選択的に、情報表示手段７３は、無線装置リストにおいて無線装置の信号強度を表示するために用いられる。
【００５２】
図８は例示的な実施例における無線装置の構造を示すブロック図である。該装置は、情報構築手段８１と情報送信手段８２を含み得、ここで、
情報構築手段８１は、無線装置の製造メーカを表示する第２のフィールドを構築するために用いられる。
【００５３】
情報送信手段８２は、前記第２のフィールドをブロードキャスト情報に付加するとともに、前記ブロードキャスト情報を送信するために用いられ、前記ブロードキャスト情報は、無線装置の名称を表示する第１のフィールドと、前記第２のフィールドとを少なくとも含む。
【００５４】
図９は、例示的な実施例における端末８００を示すブロック図である。例えば、装置８００は携帯電話、コンピュータ、デジタルブロードキャスト端末、メッセージ受発信手段、ゲームコンソール、タブレットデバイス、医療機器、フィットネス機器、パーソナルデジタルアシスタント等であってもよい。
【００５５】
図９を参照して、装置８００は、プロセスアセンブリ８０２、メモリ８０４、電源アセンブリ８０６、マルチメディアアセンブリ８０８、オーディオアセンブリ８１０、入力／出力（Ｉ／Ｏ）インターフェイス８１２、センサアセンブリ８１４、及び通信アセンブリ８１６のような一つ以上のアセンブリを含んでよい。
【００５６】
プロセスアセンブリ８０２は、一般的には装置８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【００５７】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【００５８】
電源アセンブリ８０６は、装置８００の多様なアセンブリに電力を供給する。電源アセンブリ８０６は、電源管理システム、一つ以上の電源、及び装置８００のための電力の生成、管理及び割り当てに関連する他のアセンブリを含んでもよい。
【００５９】
マルチメディアアセンブリ８０８は、前記装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ、及び／又はリアーカメラを含む。装置８００が、例えば撮影モード、或はビデオモード等の操作モードにある場合、フロントカメラ、及び／又はリアーカメラは外部からマルチメディアデータを受信できる。フロントカメラとリアーカメラのそれぞれは、一つの固定型の光レンズ系、或は可変焦点距離と光学ズーム機能を有するものであってもよい。
【００６０】
オーディオアセンブリ８１０は、オーディオ信号をインターフェースするように構成されてもよい。例えば、オーディオアセンブリ８１０は、一つのマイク（ＭＩＣ）を含み、装置８００、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【００６１】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００６２】
センサアセンブリ８１４は、装置８００に各方面の状態に対する評価を提供するための一つ以上のセンサを含む。例えば、センサアセンブリ８１４は、装置８００のＯＮ／ＯＦＦ状態、装置８００のディスプレイとキーパッドのようなアセンブリの相対的な位置決めを検出できる。また、例えば、センサアセンブリ８１４は、装置８００、或は装置８００の一つのアセンブリの位置変更、ユーザと装置８００とが接触しているか否か、装置８００の方位、又は加速／減速、装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【００６３】
通信アセンブリ８１６は、装置８００と他の機器の間に有線、又は無線形態の通信を提供する。装置８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、ブロードキャストチャンネルを介して外部のブロードキャスト管理システムからのブロードキャスト信号、又はブロードキャストに関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【００６４】
例示的な実施例において、装置８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【００６５】
例示的な実施例において、さらに、命令を含む非揮発性のコンピュータで読み取り可能な記憶媒体、例えば命令を含むメモリ８０４を提供しており、装置８００のプロセッサ８２０により上記命令を実行して上記方法を実現する。例えば、前記非揮発性のコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光データ記憶デバイス等である。
【００６６】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【００６７】
本発明は、上記において開示された構成又は図面に示した構造に限定されるものではなく、本発明の範囲内であれば、様々な補正又は変更を行うことができる。本発明の範囲は、特許請求の範囲により制限される。
【国際調査報告】
2017502622.tif 000014
2017502622.tif 000015
2017502622.tif 000016
2017502622.tif 000017